(57)【要約】【課題】情報処理装置と異なる装置から取得した情報を利用して一の機能を行う際に、異なる装置のユーザが、快適に一の機能を行うことが可能な技術を提供する。【解決手段】情報処理装置に記憶されている電話番号（情報）を利用して通話（一の機能）が行われる場合には、情報処理装置に設定されている設定値に従って通話が行われる（Ｓ１１８）。一方、情報処理装置と異なる装置から取得した電話番号を利用して通話が行われる場合には、その異なる装置に設定されている設定値に従って通話が行われる（Ｓ１０８）。つまり、異なる装置のユーザは、異なる装置による通話状態と同じ状態で、情報処理装置による通話を行うことが可能となる。これにより、異なる装置のユーザは、情報処理装置による通話を快適に行うことが可能となる。【選択図】図３
2014064158.tif 000002
【特許請求の範囲】
【請求項１】
一の機能を実行可能な情報処理装置であって、
前記一の機能と同一機能を実行可能であり、当該機能を実行するために必要な第１情報と前記第１情報を利用して当該機能を実行するために設定される第１設定情報とを記憶し、前記第１情報と前記第１設定情報とを利用して当該機能を実行可能な通信装置と、通信するための通信手段と、
前記一の機能を実行するために必要な第２情報と、前記第２情報を利用して前記一の機能を実行するために設定される第２設定情報と、を記憶するための記憶手段と、
前記一の機能を実行するために前記情報処理装置の作動を制御する制御装置と、
を備え、
前記制御装置は、
前記通信手段を介して前記通信装置から、前記第１情報を取得する第１情報取得部と、
前記通信手段を介して前記通信装置から、前記第１設定情報を取得する第１設定情報取得部と、
前記一の機能の実行にあたり必要な情報を選択する選択部と、
前記選択部によって選択された情報が、前記第１情報取得部によって取得された前記第１情報と、前記記憶手段に記憶された前記第２情報とのいずれであるかを判断する第１判断部と、
前記第１判断部によって前記第１情報であると判断された場合、前記第１設定情報取得部によって取得された前記第１設定情報に基づく設定で、前記第１情報を利用した前記一の機能を実行する第１情報依拠機能実行部と、
前記第１判断部によって前記第２情報であると判断された場合、前記記憶手段に記憶された前記第２設定情報に基づく設定で、前記第２情報を利用した前記一の機能を実行する第２情報依拠機能実行部と、
を有することを特徴とする情報処理装置。
【請求項２】
前記制御装置は、
前記第１設定情報を前記通信装置に対して要求する要求部を有し、
前記第１設定情報取得部は、
前記要求部による要求に対する返信として前記第１設定情報を前記通信装置から取得することを特徴とする請求項１に記載の情報処理装置。
【請求項３】
前記要求部は、
前記選択部によって選択された情報に対応した前記第１設定情報を前記通信装置に対して要求することを特徴とする請求項２に記載の情報処理装置。
【請求項４】
前記第１設定情報と前記第２設定情報との各々は、
少なくとも１つの設定項目と、その設定項目に設定された設定値とから構成されており、
前記要求部は、
前記第２設定情報を構成する前記設定項目とは異なる設定項目に設定された設定値を、前記通信装置に対して要求することを特徴とする請求項２又は請求項３に記載の情報処理装置。
【請求項５】
前記第１設定情報と前記第２設定情報との各々は、
少なくとも１つの設定項目と、その設定項目に設定された設定値とから構成されており、
前記第１情報依拠機能実行部は、
前記第１設定情報の前記設定項目と前記第２設定情報の前記設定項目との共通の設定項目に対して、前記第１設定情報の前記設定項目に設定された設定値に基づいて前記一の機能を実行し、前記第２設定情報の前記設定項目にのみ設定された設定項目に対して、前記第２設定情報の前記設定項目に設定された設定値に基づいて前記一の機能を実行することを特徴とする請求項１乃至請求項３のいずれか１つに記載の情報処理装置。
【請求項６】
前記第１情報依拠機能実行部は、
前記一の機能の実行中に前記第１設定情報取得部が新たに前記第１設定情報を取得した場合、前記第１設定情報に基づく設定を新たに取得した前記第１設定情報に基づく設定に変更することを特徴とする請求項１乃至請求項５のいずれか１つに記載の情報処理装置。
【請求項７】
前記第１情報依拠機能実行部は、
前記一の機能の実行中に前記第１設定情報取得部が前記通信装置と異なる通信装置から前記第１設定情報を取得した場合、前記第１情報を利用した前記一の機能の実行を継続しつつ、前記第１設定情報に基づく設定を前記異なる通信装置から取得した前記第１設定情報に基づく設定に変更することを特徴とする請求項１乃至請求項６のいずれか１つに記載の情報処理装置。
【請求項８】
前記第２情報依拠機能実行部は、
前記一の機能の実行中に前記第１設定情報取得部が新たに前記第１設定情報を取得した場合、前記第２設定情報に基づく設定を新たに取得した前記第１設定情報に基づく設定に変更することを特徴とする請求項１乃至請求項７のいずれか１つに記載の情報処理装置。
【請求項９】
前記第２情報依拠機能実行部は、
前記一の機能の実行中に前記第１設定情報取得部が前記通信装置から前記第１設定情報を取得した場合、前記第２情報を利用した前記一の機能の実行を継続しつつ、前記第２設定情報に基づく設定を前記通信装置から取得した前記第１設定情報に基づく設定に変更することを特徴とする請求項１乃至請求項８のいずれか１つに記載の情報処理装置。
【請求項１０】
前記制御装置は、
前記第１情報取得部によって取得された前記第１情報が前記第２情報として前記記憶手段に記憶されていない場合に、当該第１情報と、当該第１情報に対応する前記第１設定情報とを前記記憶手段に記憶させる記憶制御部を有することを特徴とする請求項１乃至請求項９のいずれか１つに記載の情報処理装置。
【請求項１１】
一の機能を実行可能な情報処理装置のコンピュータが読み取り可能な制御プログラムであって、
前記情報処理装置が、
前記一の機能と同一機能を実行可能であり、当該機能を実行するために必要な第１情報と前記第１情報を利用して当該機能を実行するために設定される第１設定情報とを記憶し、前記第１情報と前記第１設定情報とを利用して当該機能を実行可能な通信装置と、通信するための通信手段と、
前記一の機能を実行するために必要な第２情報と、前記第２情報を利用して前記一の機能を実行するために設定される第２設定情報と、を記憶するための記憶手段と、
を備え、
前記通信手段を介して前記通信装置から、前記第１情報を取得する第１情報取得手段と、
前記通信手段を介して前記通信装置から、前記第１設定情報を取得する第１設定情報取得手段と、
前記一の機能の実行にあたり必要な情報を選択する選択手段と、
前記選択手段によって選択された情報が、前記第１情報取得手段によって取得された前記第１情報と、前記記憶手段に記憶された前記第２情報とのいずれであるかを判断する第１判断手段と、
前記第１判断手段によって前記第１情報であると判断された場合、前記第１設定情報取得手段によって取得された前記第１設定情報に基づく設定で、前記第１情報を利用した前記一の機能を実行する第１情報依拠機能実行手段と、
前記第１判断手段によって前記第２情報であると判断された場合、前記記憶手段に記憶された前記第２設定情報に基づく設定で、前記第２情報を利用した前記一の機能を実行する第２情報依拠機能実行手段と、
して前記コンピュータを機能させることを特徴とする制御プログラム。
【発明の詳細な説明】
【技術分野】
【０００１】
本発明は、一の機能を実行可能な情報処理装置、及び、情報処理装置の作動を制御する制御プログラムに関する。
【背景技術】
【０００２】
一の機能を実行可能な情報処理装置では、その一の機能を実行するために必要な情報が記憶されている。具体的には、例えば、通話機能を実行可能な装置では、情報としての電話番号が記憶されており、画像を表示する機能を実行可能な装置では、情報として画像データが記憶されている。そして、電話番号、画像データ等を利用して、通話、画像の表示等が行われる。また、下記特許文献に記載されているように、情報処理装置が、その情報処理装置と異なる他の第２の装置に記憶されている情報を取得し、その情報を利用して、通話、画像の表示等の一の機能を行うことが可能である。
【先行技術文献】
【特許文献】
【０００３】
【特許文献１】特開２００３−２８３７８７号公報
【発明の概要】
【発明が解決しようとする課題】
【０００４】
また、一の機能を実行するために必要な情報には、一の機能を実行するために設定される設定情報が定められており、ユーザは、その設定情報に対し、設定値等を設定することが可能となっている。つまり、情報処理装置のユーザＡは、情報処理装置の設定情報に対して、情報処理装置のユーザＡに応じた設定値を設定しており、上記第２の装置のユーザＢは、第２の装置の設定情報に対して、第２の装置のユーザＢに応じた設定値を設定している。このため、第２の装置のユーザＢの操作により、情報処理装置が、第２の装置から取得した情報を利用して、一の機能を行う際には、情報処理装置のユーザＡに応じた設定値に従って、一の機能が行われるため、第２の装置のユーザＢは、情報処理装置を利用して快適に一の機能を行えない虞がある。
【０００５】
本発明は、そのような事情に鑑みてなされたものであり、情報処理装置が、第２の装置から取得した情報を利用して一の機能を行う際に、第２の装置のユーザが、快適に一の機能を行うことが可能な情報処理装置及び、その情報処理装置の作動を制御する制御プログラムを提供する。
【課題を解決するための手段】
【０００６】
上記課題を解決するために、本発明に記載の情報処理装置は、一の機能を実行可能な情報処理装置であって、前記一の機能と同一機能を実行可能であり、当該機能を実行するために必要な第１情報と前記第１情報を利用して当該機能を実行するために設定される第１設定情報とを記憶し、前記第１情報と前記第１設定情報とを利用して当該機能を実行可能な通信装置と、通信するための通信手段と、前記一の機能を実行するために必要な第２情報と、前記第２情報を利用して前記一の機能を実行するために設定される第２設定情報と、を記憶するための記憶手段と、前記一の機能を実行するために前記情報処理装置の作動を制御する制御装置と、を備え、前記制御装置は、前記通信手段を介して前記通信装置から、前記第１情報を取得する第１情報取得部と、前記通信手段を介して前記通信装置から、前記第１設定情報を取得する第１設定情報取得部と、前記一の機能の実行にあたり必要な情報を選択する選択部と、前記選択部によって選択された情報が、前記第１情報取得部によって取得された前記第１情報と、前記記憶手段に記憶された前記第２情報とのいずれであるかを判断する第１判断部と、前記第１判断部によって前記第１情報であると判断された場合、前記第１設定情報取得部によって取得された前記第１設定情報に基づく設定で、前記第１情報を利用した前記一の機能を実行する第１情報依拠機能実行部と、前記第１判断部によって前記第２情報であると判断された場合、前記記憶手段に記憶された前記第２設定情報に基づく設定で、前記第２情報を利用した前記一の機能を実行する第２情報依拠機能実行部と、を有することを特徴とする。
【発明の効果】
【０００７】
本発明に記載の情報処理装置では、情報処理装置に記憶されている第２情報を利用して一の機能が実行される場合には、情報処理装置に設定されている第２設定情報に従って一の機能が実行される。一方、第２の装置としての通信装置から取得した第１情報を利用して一の機能が実行される場合には、通信装置に設定されている第１設定情報に従って一の機能が実行される。つまり、通信装置のユーザは、通信装置による一の機能の実行状態と同じ状態で、第１情報を利用して一の機能を情報処理装置によって実行することが可能となる。これにより、通信装置のユーザは、快適に一の機能を情報処理装置によって行うことが可能となる。
【０００８】
また、情報処理装置は、第１設定情報を通信装置に対して要求することが可能である。つまり、情報処理装置は、第１設定情報を通信装置に要求した場合に、第１設定情報を通信装置から取得することが可能である。これにより、情報処理装置は、第１設定情報を必要時に取得することが可能となる。
【０００９】
また、第１情報を利用して一の機能が実行される際に、情報処理装置は、第１設定情報を通信装置に対して要求することが可能である。これにより、情報処理装置は、最適のタイミングで第１設定情報を取得することが可能となる。
【００１０】
また、情報処理装置は、自身に記憶されている設定項目とは異なる設定項目の設定値を、通信装置に対して要求することが可能である。これにより、情報処理装置が取得する情報量を抑制することが可能となる。
【００１１】
また、第１設定情報の設定項目と第２設定情報の設定項目との共通の設定項目に、第１設定情報の設定項目の設定値を設定し、第２設定情報の設定項目にのみ設定された設定項目に、第２設定情報の設定項目の設定値を設定して、一の機能を実行することが可能である。つまり、多くの設定項目が、第１設定情報の設定項目の設定値、つまり、通信装置に設定されている設定値に従って、一の機能が実行される。これにより、通信装置のユーザは、より快適に一の機能を情報処理装置によって行うことが可能となる。
【００１２】
また、第１情報を利用した一の機能の実行中に、情報処理装置が新たに第１設定情報を取得した場合、第１設定情報に基づく設定を新たに取得した第１設定情報に基づく設定に変更することが可能である。これにより、一の機能の実行中であっても、第１設定情報に基づく設定を変更することが可能となる。
【００１３】
また、第１情報を利用した一の機能の実行中に、情報処理装置が通信装置と異なる通信装置から第１設定情報を取得した場合、第１情報を利用した一の機能を実行した状態で、第１設定情報に基づく設定を上記異なる通信装置から取得した第１設定情報に基づく設定に変更することが可能である。これにより、上記異なる通信装置のユーザも、快適に一の機能を情報処理装置によって行うことが可能となる。
【００１４】
また、第２情報を利用した一の機能の実行中に、情報処理装置が第１設定情報を取得した場合、第２設定情報に基づく設定を第１設定情報に基づく設定に変更することが可能である。これにより、一の機能の実行の途中に、通信装置のユーザに応じた設定に変更することが可能となる。
【００１５】
また、第２情報を利用した一の機能の実行中に、情報処理装置が第１設定情報を取得した場合、第２情報を利用した一の機能を実行した状態で、第２設定情報に基づく設定を第１設定情報に基づく設定に変更することが可能である。これにより、一の機能の実行の途中に、一の機能の実行を継続した状態で、通信装置のユーザに応じた設定に変更することが可能となる。
【図面の簡単な説明】
【００１６】
【図１】通信システム１のブロック図である。
【図２】ＭＦＰ１１による通話時の動作フローチャートを示す図である。
【図３】ＭＦＰ１１による通話時の動作フローチャートを示す図である。
【図４】ＭＦＰ１１による画像表示時の動作フローチャートを示す図である。
【図５】ＭＦＰ１１による画像表示時の動作フローチャートを示す図である。
【図６】変形例のＭＦＰ１１による通話時の動作フローチャートを示す図である。
【図７】変形例のＭＦＰ１１による通話時の動作フローチャートを示す図である。
【発明を実施するための形態】
【００１７】
＜通信システムの構成＞
図１に、本願に係る実施形態として例示される通信システム１のブロック図を示す。通信システム１は、携帯電話（本発明の通信装置の一例）１０、ＭＦＰ（Multifunction Peripheralの略）（本発明の情報処理装置の一例）１１を備えている。
【００１８】
携帯電話１０は、ＣＰＵ（Central Processing Unitの略）１２、記憶部１４、パネル１６、ボタン入力部１８、スピーカ１９、マイクロフォン２０、カメラ２１、携帯電話送受信部２２、携帯電話アンテナ部２４、無線送受信部２６、無線アンテナ部２８を主に備えている。これらの構成要素は、入出力ポート３０を介して互いに通信可能とされている。
【００１９】
パネル１６は、携帯電話１０の各種機能を表示する表示面を備える。ボタン入力部１８は、携帯電話１０の各機能を実行するためのキーであり、タッチパネルとして、パネル１６と一体に構成されていてもよい。スピーカ１９は、通話先の音声を出力するものである。マイクロフォン２０は、携帯電話１０のユーザが発した音声を取得するものである。カメラ２１は、撮像を実行する部位である。なお、カメラ２１の撮像により得られた画像データを、パネル１６に表示することが可能である。つまり、携帯電話１０は、画像を表示する画像表示機能を備える
【００２０】
携帯電話送受信部２２は、携帯電話アンテナ部２４を介して、基地局３２との間で携帯電話通信の方式に準拠する無線通信３４を行う。つまり、携帯電話１０は、通話機能を有しており、他の電話との間での通話、各種データの送受信が行われる。なお、携帯電話１０には、通話時に使用される設定情報が記憶されており、通話時には、その設定情報に基づいた設定で通話を実行可能である。また、無線送受信部２６は、無線アンテナ部２８を介して、無線ＬＡＮ方式に準拠する無線通信３６を行う。
【００２１】
ＣＰＵ１２は、記憶部１４内のプログラム３８に従って各種処理を実行する。また、記憶部１４は、データ記憶領域４０を備える。データ記憶領域４０は、カメラ２１によって撮像された画像データ、電話番号などを記憶する。なお、記憶部１４は、ＲＡＭ（Random Access Memoryの略）、ＲＯＭ（Read Only Memoryの略）、フラッシュメモリー、ＨＤＤ（ハードディスクの略）、ＣＰＵ１２が備えるバッファなどが組み合わされて構成されている。
【００２２】
また、ＭＦＰ１１は、ＣＰＵ（Central Processing Unitの略）（本発明の制御装置及びコンピュータの一例）５０、記憶部５２、パネル５４、ボタン入力部５６、スピーカ５７、マイクロフォン５８、プリンタ５９、スキャナ６０、ネットワークＩ／Ｆ（本発明の通信手段の一例）６２、電話回線接続部６６を主に備えている。これらの構成要素は、入出力ポート６８を介して互いに通信可能とされている。
【００２３】
パネル５４は、ＭＦＰ１１の各種機能を表示する表示面を備える。ボタン入力部５６は、ＭＦＰ１１の各機能を実行するためのキーであり、タッチパネルとして、パネル５４と一体に構成されていてもよい。スピーカ５７は、通話先の音声を出力するものである。マイクロフォン５８は、ＭＦＰ１１のユーザが発した音声を取得するものである。プリンタ５９は、印刷を実行する部位である。スキャナ６０は、原稿をスキャンして、画像データを作成する部位である。なお、スキャナ６０により得られた画像データを、パネル５４に表示することが可能である。つまり、ＭＦＰ１１は、画像を表示する画像表示機能を備える。
【００２４】
ネットワークＩ／Ｆ６２は、無線ＬＡＮ方式に準拠する無線通信３６を行うことが可能とされている。これにより、ネットワークＩ／Ｆ６２は、携帯電話１０の無線アンテナ部２８との間で、各種データの送受信を行うことが可能である。電話回線接続部６６は、電話回線網７０に接続されている。つまり、ＭＦＰ１１は、通話機能を有しており、他の電話機との間での通話が行われる。なお、ＭＦＰ１１には、通話時に使用される設定情報が記憶されており、通話時には、その設定情報に基づいた設定で通話を実行可能である。
【００２５】
また、ＣＰＵ５０は、記憶部５２内の通話制御プログラム（本発明の制御プログラムの一例）７２、表示制御プログラム（本発明の制御プログラムの一例）７４に従って処理を実行する。通話制御プログラム７２は、電話との通話を制御するためのプログラムであり、表示制御プログラム７４は、パネル５４への画像の表示を制御するためのプログラムである。
【００２６】
また、記憶部５２は、データ記憶領域（本発明の記憶手段の一例）７６を備える。データ記憶領域７６は、スキャナ６０によって作成された画像データ、電話番号などを記憶する領域である。ちなみに、無線通信３６により携帯電話１０から送られたデータを、データ記憶領域７６に記憶することも可能である。なお、記憶部５２は、ＲＡＭ（Random Access Memoryの略）、ＲＯＭ（Read Only Memoryの略）、フラッシュメモリー、ＨＤＤ（ハードディスクの略）、ＣＰＵ５０が備えるバッファなどが組み合わされて構成されている。
【００２７】
＜ＭＦＰによる通話＞
ユーザが、ＭＦＰ１１により電話をかける際には、データ記憶領域７６に記憶されている複数の電話番号から任意の電話番号が選択され、その選択された電話番号に従って、電話回線が接続される。ＭＦＰ１１には、通話時に使用される設定情報（本発明の第２設定情報の一例）が設定されている。設定情報は、所定の設定項目と、設定項目の設定値とから構成されており、設定項目及び設定値が、データ記憶領域７６に記憶されている。具体的な設定項目としては、通話時の音量、呼び出し音等が挙げられる。設定項目には、デフォルト設定として予め設定値が設定されており、その設定値に従って通話が行われる。また、予め設定されている設定値を変更することが可能であり、設定値の変更は、電話番号毎に行うことも可能である。
【００２８】
本実施形態において、「電話回線に接続」、「電話回線の接続」、「電話回線接続」、「電話回線を接続」とは、電話番号に発呼し、電話回線を閉結することを意味する。電話回線の閉結とは、交換機とＭＦＰ１１との間に電流が流れ、通話相手と通話が可能となることである。すなわち、選択された電話番号に電話をかけることを意味する。
【００２９】
また、ＭＦＰ１１では、無線通信３６により携帯電話１０から取得した電話番号に従って、電話回線を接続することも可能である。携帯電話１０から取得した電話番号への電話回線接続時には、携帯電話１０に設定されている設定情報（本発明の第１設定情報の一例）の設定値に従って通話が行われる。設定情報は、ＭＦＰ１１が備える設定情報と同様に、通話の際に設定される所定の設定項目と、設定項目の設定値とから構成されている。以下に、データ記憶領域７６に記憶されている電話番号へ電話回線が接続される際の通話手法と、携帯電話１０から取得した電話番号へ電話回線が接続される際の通話手法とについて説明する。なお、本実施形態において、無線通信３６により携帯電話１０から取得した電話番号のことを第１電話番号（本発明の第１情報の一例）と称する。一方、データ記憶領域７６に記憶されている電話番号のことを第２電話番号（本発明の第２情報の一例）と称する。
【００３０】
接続対象の電話番号として第２電話番号が選択された場合には、データ記憶領域７６に記憶されている設定項目の設定値が取得される。そして、その設定項目の設定値に従って、第２電話番号に電話回線が接続され、通話が行われる。
【００３１】
一方、接続対象の電話番号として第１電話番号が選択された場合には、設定項目及び、設定値をＭＦＰ１１に送る旨の要求を、無線通信３６により、携帯電話１０に送信する。携帯電話１０は、自身の備える通話機能を実行する際に適応される設定情報を記憶しており、携帯電話１０のユーザが携帯電話１０を用いて通話する際、その設定情報に従った設定で通話が実行される。携帯電話１０のデータ記憶領域４０には、第１電話番号に応じた設定項目及び設定値が記憶されており、ＭＦＰ１１からの要求に応じて、携帯電話１０は、携帯電話１０での通話時に設定される設定項目及び設定値を、無線通信３６により、ＭＦＰ１１に送信する。
【００３２】
ちなみに、ＭＦＰ１１への送信が要求される設定項目及び設定値は、データ記憶領域４０に記憶された設定項目であり、かつ、データ記憶領域７６に記憶されていない設定項目と、その設定項目に設定された設定値、及び、データ記憶領域４０とデータ記憶領域７６とに共通した設定項目ではあるが、その設定項目に設定された設定値が互いに異なるものである場合には、データ記憶領域４０に記憶されたその設定項目と、その設定項目に設定された設定値である。つまり、ＭＦＰ１１のデータ記憶領域７６に記憶されている設定項目とは異なる設定項目と、その設定項目に設定される設定値、及び、データ記憶領域７６に記憶されている設定項目と同じ設定項目であっても設定値が異なる場合には、その設定項目と設定値が、携帯電話１０に要求される。
【００３３】
そして、携帯電話１０から送信された設定項目及び設定値をＭＦＰ１１が取得すると、その取得した設定値と、データ記憶領域７６に記憶されている設定項目の設定値であり、携帯電話１０から取得しなかった設定項目の設定値と、に従って、第１電話番号に電話回線が接続され、通話が行われる。
【００３４】
このように、ＭＦＰ１１では、自身に記憶されている第２電話番号の電話回線接続時には、自身に記憶されている設定項目に設定されている設定値に従った通話を行うことが可能となっている。一方、携帯電話１０から取得した第１電話番号の電話回線接続時には、携帯電話１０の設定項目に設定されている設定値に従った通話を行うことが可能となっている。これにより、携帯電話１０から取得した第１電話番号の電話回線接続時において、携帯電話１０による通話状態と同じ状態、つまり、携帯電話１０で設定されていた設定状態で、ＭＦＰ１１による通話を行うことが可能となる。
【００３５】
具体的には、例えば、携帯電話１０の設定項目に、受話音量が設定されており、ＭＦＰ１１の設定項目に、受話音量が設定されていない場合について考えてみる。このような場合に、携帯電話１０のユーザが、小さな音を聞き取り難い者であると、受話音量は比較的大きな音量に設定されている。つまり、携帯電話１０のユーザは、携帯電話１０であれば、快適に通話を行うことが可能であるが、受話音量の小さい電話機では、音が聞き取り難く、快適に通話を行うことができない。このようなことに鑑みて、ＭＦＰ１１では、携帯電話１０から取得した第１電話番号の電話回線接続時には、携帯電話１０で設定されている受話音量の設定値に従った通話が行われる。これにより、携帯電話１０のユーザは、ＭＦＰ１１においても、受話音量が大きな音量に設定された状態で通話を行うことが可能となる。
【００３６】
また、設定項目及び設定値の要求は、接続対象の電話番号として第１電話番号が選択された後に行われる。これにより、ＭＦＰ１１は、第１電話番号の設定項目及び設定値を必要時に取得することが可能となる。逆にいえば、不必要な情報の取得を抑制することが可能となる。
【００３７】
また、要求される設定項目は、ＭＦＰ１１のデータ記憶領域７６に記憶されている設定項目とは異なる設定項目とされている。このことによっても、不必要な情報の取得を抑制することが可能となる。
【００３８】
また、第２電話番号の電話回線接続時における通話中に、携帯電話１０から設定項目及び設定値がＭＦＰ１１に送信された場合には、その設定値を利用して、通話が行われる。具体的には、第２電話番号の電話回線の接続が維持された状態で、設定項目の設定値が、携帯電話１０から取得した設定値に変更される。
【００３９】
例えば、ＭＦＰ１１のユーザによる第２電話番号の電話回線接続時における通話中には、ＭＦＰ１１の設定項目により、通話音量は通常の音量となっている。このため、通話中にＭＦＰ１１のユーザから携帯電話１０のユーザに替わり、携帯電話１０のユーザが通話をすると、通話音量が小さく、快適に通話を行うことができない。この際、携帯電話１０から設定項目及び設定値をＭＦＰ１１に送信することで、ＭＦＰ１１での通話音量が、携帯電話１０に設定されている通話音量の設定値に変更される。これにより、第２電話番号の電話回線接続時における通話であっても、携帯電話１０のユーザは、快適に通話を行うことが可能となる。
【００４０】
また、第１電話番号の電話回線接続時における通話中に、携帯電話１０とは異なる別の携帯電話（図示省略）から、その携帯電話での通話時に適応される設定項目及び設定値がＭＦＰ１１に送信された場合には、その設定値を利用して、通話が行われる。具体的には、第１電話番号の電話回線の接続が維持された状態で、設定項目の設定値が、別の携帯電話から取得した設定値に変更される。
【００４１】
例えば、携帯電話１０から取得した第１電話番号の電話回線接続時における通話中には、携帯電話１０の設定項目により、受話音量が大きくなっている。このため、携帯電話１０のユーザとは異なる別の者が通話をすると、受話音量が大きく、快適に通話を行うことができない。この際、別のユーザの携帯電話から設定項目及び設定値をＭＦＰ１１に送信することで、受話音量が、その別のユーザの携帯電話に設定されている受話音量の設定値に変更される。これにより、その別のユーザも快適に通話を行うことが可能となる。
【００４２】
また、携帯電話１０から取得した第１電話番号が第２電話番号としてデータ記憶領域７６に記憶されていない場合に、その第１電話番号は、携帯電話１０から取得した設定項目及び設定値とともに、データ記憶領域７６に記憶される。これにより、携帯電話１０のユーザが、再度、ＭＦＰ１１を利用して、その第１電話番号に電話をかける際に、携帯電話１０と同じ通話設定がなされ便利である。
【００４３】
＜ＭＦＰによる画像表示＞
ユーザが、ＭＦＰ１１のパネル５４に画像を表示させる際には、データ記憶領域７６に記憶されている複数の画像データから任意の画像データが選択され、その選択された画像データに基づく画像がパネル５４に表示される。ＭＦＰ１１には、画像表示時に使用される設定情報（本発明の第２設定情報の一例）が設定されている。設定情報は、所定の設定項目と設定項目の設定値とによって構成されており、設定項目及び設定値が、データ記憶領域７６に記憶されている。具体的な設定項目としては、画像表示時の輝度、コントラスト等が挙げられる。設定項目には、デフォルト設定として予め設定値が設定されており、その設定値に従って画像が表示される。また、予め設定されている設定値を変更することが可能であり、設定値の変更は、画像データ毎に行うことも可能である。
【００４４】
また、ＭＦＰ１１では、無線通信３６により携帯電話１０から取得した画像データに基づく画像をパネル５４に表示することも可能である。携帯電話１０から取得した画像データに基づく画像の表示時には、携帯電話１０に設定されている設定情報（本発明の第１設定情報の一例）の設定値に従って画像が表示される。設定情報は、ＭＦＰ１１が備える設定情報と同様に、画像表示時に設定される所定の設定項目と、設定項目の設定値とから構成されている。以下に、データ記憶領域７６に記憶されている画像データに基づく画像の表示手法と、携帯電話１０から取得した画像データに基づく画像の表示手法とについて説明する。なお、本実施形態において、無線通信３６により携帯電話１０から取得した画像データのことを第１画像データ（本発明の第１情報の一例）と称する。一方、データ記憶領域７６に記憶されている画像データのことを第２画像データ（本発明の第２情報の一例）と称する。
【００４５】
表示対象の画像データとして第２画像データが選択された場合には、データ記憶領域７６に記憶されている設定項目の設定値が取得される。そして、その設定項目の設定値に従って、第２画像データに基づく画像がパネル５４に表示される。
【００４６】
一方、表示対象の画像データとして第１画像データが選択された場合には、設定項目及び、設定値をＭＦＰ１１に送る旨の要求を、無線通信３６により、携帯電話１０に送信する。携帯電話１０は、自身の備える画像表示機能を実行する際に適応される設定情報を記憶しており、携帯電話１０のユーザが携帯電話１０を用いて画像表示を行う際、その設定情報に従った設定で画像表示が実行される。携帯電話１０のデータ記憶領域４０には、第１画像データに応じた設定項目及び設定値が記憶されており、ＭＦＰ１１からの要求に応じて、携帯電話１０は、携帯電話１０での画像表示時に設定される設定項目及び設定値を、無線通信３６により、ＭＦＰ１１に送信する。なお、ＭＦＰ１１への送信が要求される設定項目及び設定値は、データ記憶領域４０に記憶された設定項目であり、かつ、データ記憶領域７６に記憶されていない設定項目と、その設定項目に設定された設定値、及び、データ記憶領域４０とデータ記憶領域７６とに共通した設定項目ではあるが、その設定項目に設定された設定値が互いに異なるものである場合には、データ記憶領域４０に記憶されたその設定項目と、その設定項目に設定された設定値である。
【００４７】
そして、携帯電話１０から送信された設定項目及び設定値をＭＦＰ１１が取得すると、その取得した設定値と、データ記憶領域７６に記憶されている設定項目の設定値であり、携帯電話１０から取得しなかった設定項目の設定値と、に従って、第１画像データに基づく画像がパネル５４に表示される。
【００４８】
このように、ＭＦＰ１１では、自身に記憶されている第２画像データに基づく画像の表示時には、自身に記憶されている設定項目に設定されている設定項目の設定値に従った表示を行うことが可能となっている。一方、携帯電話１０から取得した第１画像データに基づく画像の表示時には、携帯電話１０の設定項目に設定されている設定値に従った表示を行うことが可能となっている。これにより、携帯電話１０から取得した第１画像データに基づく画像を、携帯電話１０のパネル１６への表示状態と同じ状態、つまり、携帯電話１０で設定されていた設定状態で、ＭＦＰ１１のパネル５４に表示することが可能となる。
【００４９】
また、画像データに基づいて画像がパネル５４に表示される際にも、通話時と同様に、設定項目及び設定値の要求のタイミング、要求される設定項目の内容により、不必要な情報の取得を抑制することが可能となる。
【００５０】
また、第２画像データに基づく画像の表示中に、携帯電話１０から設定項目及び設定値がＭＦＰ１１に送信された場合には、その設定値を利用して、画像が表示される。具体的には、設定項目の設定値が、携帯電話１０から取得した設定値に変更され、第２画像データに基づく画像がパネル５４に表示される。
【００５１】
また、第１画像データに基づく画像の表示中に、携帯電話１０とは異なる別の携帯電話（図示省略）から設定項目及び設定値がＭＦＰ１１に送信された場合には、その設定値を利用して、画像が表示される。具体的には、設定項目の設定値が、別の携帯電話から取得した設定値に変更され、第１画像データに基づく画像がパネル５４に表示される。
【００５２】
また、携帯電話１０から取得した第１画像データが第２画像データとしてデータ記憶領域７６に記憶されていない場合に、その第１画像データは、携帯電話１０から取得した設定項目及び設定値とともに、データ記憶領域７６に記憶される。
【００５３】
＜制御プログラム＞
上述したＭＦＰ１１による通話は、ＣＰＵ５０において通話制御プログラム７２が実行されることによって行われる。この通話制御プログラム７２はＭＦＰ１１の電源がＯＮされた場合に実行される。具体的に、図２及び図３を用いて、データ記憶領域７６に記憶されている第２電話番号、若しくは、携帯電話１０から取得した第１電話番号に電話回線を接続し、通話を行うためのフローを説明する。
【００５４】
通話制御プログラム７２では、まず、ボタン入力部５６から通話の要求が入力されたか否かが、ＣＰＵ５０によって判断される（ステップ（以下、「Ｓ」と略す）１００）。詳しくは、データ記憶領域７６に記憶されている複数の第２電話番号の中から任意の第２電話番号が選択され、ボタン入力部５６の通話開始ボタン（図示省略）が操作されたか否かが判定される。若しくは、携帯電話１０から第１電話番号が取得され、ボタン入力部５６の通話開始ボタンが操作されたか否かが判定される。
【００５５】
通話要求が入力されていない場合には（Ｓ１００のＮＯ）、Ｓ１００の処理が繰り返し実行される。一方、通話要求が入力された場合には（Ｓ１００のＹＥＳ）、通話要求の対象の電話番号がＭＦＰ１１に記憶されているものであるか否かが、ＣＰＵ５０によって判断される（Ｓ１０２）。つまり、通話要求の対象の電話番号が、第１電話番号と第２電話番号とのいずれの番号であるかが、ＣＰＵ５０によって判断される。
【００５６】
通話要求の対象の電話番号が第１電話番号である場合には（Ｓ１０２のＮＯ）、ＭＦＰ１１のデータ記憶領域７６に記憶されている設定項目と異なる設定項目及び、その異なる設定項目の設定値をＭＦＰ１１に送信する旨の指令が、ＭＦＰ１１から携帯電話１０に送信される（Ｓ１０４）。携帯電話１０では、この指令に応じて、ＭＦＰ１１のデータ記憶領域７６に記憶されている設定項目と異なる設定項目及び、その異なる設定項目の設定値が、ＭＦＰ１１に送信される。具体的には、ＭＦＰ１１は、第１電話番号を利用して自身の通話機能を実行する場合、通話機能を実行するためのデータ記憶領域７６に記憶された設定項目及びその設定項目に設定された設定値を携帯電話１０に送信し、携帯電話１０に、それら設定項目及び設定値と、データ記憶領域４０に記憶している設定項目及び設定値とを比較させ、相違する設定項目及び設定値をＭＦＰ１１に送信させるとよい。
【００５７】
そして、携帯電話１０から設定項目及び、設定項目の設定値が、ＭＦＰ１１のＣＰＵ５０によって取得される（Ｓ１０６）。次に、携帯電話１０の設定項目の設定値およびＭＦＰ１１の設定項目の設定値に従って、第１電話番号に電話回線が接続される（Ｓ１０８）。これにより、携帯電話１０の設定項目の設定値およびＭＦＰ１１の設定項目の設定値に従った通話が行われる。
【００５８】
そして、携帯電話１０とは異なる携帯電話から、その携帯電話の通話機能に係る設定項目及び設定値を取得したか否かが、ＣＰＵ５０によって判断される（Ｓ１１０）。詳しくは、定期的に通信可能な携帯電話を検索し、携帯電話が発見された場合に、設定項目及び設定値の要求を出すようにし、その要求に対する返答の有無が判断される。要求に対する返答があった場合、つまり、異なる携帯電話から設定項目及び設定値が取得された場合には（Ｓ１１０のＹＥＳ）、第１電話番号の電話回線の接続が維持された状態で、設定項目の設定値が、新たに取得した設定値に変更される（Ｓ１１２）。これにより、新たに取得した設定値に従った通話が行われる。一方、要求に対する返答がない場合、つまり、異なる携帯電話から設定項目及び設定値が取得されない場合には（Ｓ１１０のＮＯ）、Ｓ１１２の処理がスキップされる。
【００５９】
続いて、通話が終了したか否かが、ＣＰＵ５０によって判断される（Ｓ１１４）。詳しくは、ボタン入力部５６の通話終了ボタン（図示省略）が操作されたか否かが判定される。通話が終了していない場合には（Ｓ１１４のＮＯ）、Ｓ１１０に戻る。
【００６０】
一方、通話が終了した場合には（Ｓ１１４のＹＥＳ）、携帯電話１０から取得した第１電話番号が、第２電話番号としてデータ記憶領域７６に記憶されているか否かが、ＣＰＵ５０によって判断される（Ｓ１１６）。第１電話番号がデータ記憶領域７６に記憶されていない場合には（Ｓ１１６のＮＯ）、携帯電話１０から取得した第１電話番号と、通話時に設定されていた設定項目と、その設定項目の設定値とが、関連付けられてデータ記憶領域７６に記憶される（Ｓ１１７）。なお、ＭＦＰ１１が、携帯電話１０から設定値を取得していない場合には、上記Ｓ１１６の処理及びＳ１１７の処理がスキップされる。一方、第１電話番号がデータ記憶領域７６に記憶されている場合には（Ｓ１１６のＹＥＳ）、Ｓ１１７の処理がスキップされる。そして、通話制御プログラム７２のフローが終了する。なお、このフローは終了すると、再び開始される。
【００６１】
また、Ｓ１０２で通話要求の対象の電話番号が第２電話番号である場合には（Ｓ１０２のＹＥＳ）、ＭＦＰ１１のデータ記憶領域７６に記憶された設定項目の設定値に従って、第２電話番号に電話回線が接続される（Ｓ１１８）。これにより、ＭＦＰ１１の設定項目の設定値に従った通話が行われる。
【００６２】
そして、携帯電話１０から携帯電話１０の通話機能に係る設定項目及び設定値を取得したか否かが、ＣＰＵ５０によって判断される（Ｓ１２０）。詳しくは、Ｓ１１０と同様に、定期的に通信可能な携帯電話を検索し、携帯電話が発見された場合に、設定項目及び値の要求を出すようにし、その要求に対する返答の有無が判断される。要求に対する返答があった場合、つまり、携帯電話１０から設定項目及び設定値が取得された場合には（Ｓ１２０のＹＥＳ）、第２電話番号の電話回線の接続が維持された状態で、設定項目の設定値が、第１電話番号の設定項目の設定値に変更される（Ｓ１２２）。これにより、携帯電話１０の設定項目の設定値に従った通話が行われる。一方、要求に対する返答がない場合、つまり、携帯電話１０から第１電話番号の設定項目及び設定値が取得されない場合には（Ｓ１２０のＮＯ）、Ｓ１２２の処理がスキップされる。
【００６３】
続いて、通話が終了したか否かが、ＣＰＵ５０によって判断される（Ｓ１２４）。通話が終了していない場合には（Ｓ１２４のＮＯ）、Ｓ１２０に戻る。一方、通話が終了した場合には（Ｓ１２４のＹＥＳ）、Ｓ１１６以降の処理が実行され、通話制御プログラム７２のフローが終了する。
【００６４】
なお、Ｓ１１０及びＳ１２０の処理において、設定値の他に第１電話番号を取得した場合には、取得した第１電話番号を無視して、すでに実行している第１電話番号に基づいた通話を維持し、設定値のみを変更する。これにより、既に実行している第１電話番号との通話を維持することが可能となる。
【００６５】
また、上述したＭＦＰ１１のパネル５４への画像の表示は、ＣＰＵ５０において表示制御プログラム７４が実行されることによって行われる。この表示制御プログラム７４はＭＦＰ１１の電源がＯＮされた場合に実行される。具体的に、図４及び図５を用いて、データ記憶領域７６に記憶されている第２画像データ、若しくは、携帯電話１０から取得した第１画像データに基づく画像をパネル５４に表示するためのフローを説明する。
【００６６】
表示制御プログラム７４では、まず、ボタン入力部５６から画像表示の要求が入力されたか否かが、ＣＰＵ５０によって判断される（Ｓ２００）。詳しくは、データ記憶領域７６に記憶されている複数の第２画像データの中から任意の第２画像データが選択され、ボタン入力部５６の画像表示ボタン（図示省略）が操作されたか否かが判定される。若しくは、携帯電話１０から第１画像データが取得され、ボタン入力部５６の画像表示ボタンが操作されたか否かが判定される。
【００６７】
画像表示の要求が入力されていない場合には（Ｓ２００のＮＯ）、Ｓ２００の処理が繰り返し実行される。一方、画像表示の要求が入力された場合には（Ｓ２００のＹＥＳ）、画像表示要求の対象の画像データがＭＦＰ１１に記憶されているものであるか否かが、ＣＰＵ５０によって判断される（Ｓ２０２）。つまり、画像表示要求の対象の画像データが、第１画像データと第２画像データとのいずれのデータであるかが、ＣＰＵ５０によって判断される。
【００６８】
画像表示要求の対象の画像データが第１画像データである場合には（Ｓ２０２のＮＯ）、ＭＦＰ１１のデータ記憶領域７６に記憶されている設定項目と異なる設定項目及び、その異なる設定項目の設定値をＭＦＰ１１に送信する旨の指令が、ＭＦＰ１１から携帯電話１０に送信される（Ｓ２０４）。携帯電話１０では、この指令に応じて、ＭＦＰ１１のデータ記憶領域７６に記憶されている設定項目と異なる設定項目及び、その異なる設定項目の設定値が、ＭＦＰ１１に送信される。具体的には、ＭＦＰ１１は、第１画像データに基づく画像を表示する場合、画像表示機能を実行するためのデータ記憶領域７６に記憶された設定項目及びその設定項目に設定された設定値を携帯電話１０に送信し、携帯電話１０に、それら設定項目及び設定値と、データ記憶領域４０に記憶している設定項目及び設定値とを比較させ、相違する設定項目及び設定値をＭＦＰ１１に送信させるとよい。
【００６９】
そして、携帯電話１０から設定項目及び、設定項目の設定値が、ＭＦＰ１１のＣＰＵ５０によって取得される（Ｓ２０６）。次に、携帯電話１０の設定項目の設定値およびＭＦＰ１１の設定項目の設定値に従って、第１画像データに基づく画像がパネル５４に表示される（Ｓ２０８）。
【００７０】
そして、携帯電話１０とは異なる携帯電話から、その携帯電話の画像表示機能に係る設定項目及び設定値を取得したか否かが、ＣＰＵ５０によって判断される（Ｓ２１０）。詳しくは、定期的に通信可能な携帯電話を検索し、携帯電話が発見された場合に、設定項目及び値の要求を出すようにし、その要求に対する返答の有無が判断される。要求に対する返答があった場合、つまり、異なる携帯電話から設定項目及び設定値が取得された場合には（Ｓ２１０のＹＥＳ）、第１画像データに基づく画像が表示された状態で、設定項目の設定値が、新たに取得した設定値に変更される（Ｓ２１２）。一方、要求に対する返答がない場合、つまり、異なる携帯電話から設定項目及び設定値が取得されない場合には（Ｓ２１０のＮＯ）、Ｓ２１２の処理がスキップされる。
【００７１】
続いて、画像の表示が終了したか否かが、ＣＰＵ５０によって判断される（Ｓ２１４）。詳しくは、ボタン入力部５６の画像表示終了ボタン（図示省略）が操作されたか否かが判定される。画像の表示が終了していない場合には（Ｓ２１４のＮＯ）、Ｓ２１０に戻る。
【００７２】
一方、画像の表示が終了した場合には（Ｓ２１４のＹＥＳ）、携帯電話１０から取得した第１画像データが、第２画像データとしてデータ記憶領域７６に記憶されているか否かが、ＣＰＵ５０によって判断される（Ｓ２１６）。第１画像データがデータ記憶領域７６に記憶されていない場合には（Ｓ２１６のＮＯ）、携帯電話１０から取得した第１画像データと、その第１画像データに基づく画像を表示する際に設定されていた設定項目と、その設定項目の設定値とが、関連付けられてデータ記憶領域７６に記憶される（Ｓ２１７）。なお、ＭＦＰ１１が、携帯電話１０から設定値を取得していない場合には、上記Ｓ２１６の処理及びＳ２１７の処理がスキップされる。一方、第１画像データがデータ記憶領域７６に記憶されている場合には（Ｓ２１６のＹＥＳ）、Ｓ２１７の処理がスキップされる。そして、表示制御プログラム７４のフローが終了する。なお、このフローは終了すると、再び開始される。
【００７３】
また、Ｓ２０２で画像表示要求の対象の画像データが第２画像データである場合には（Ｓ２０２のＹＥＳ）、ＭＦＰ１１のデータ記憶領域７６に記憶された設定項目の設定値に従って、第２画像データに基づく画像がパネル５４に表示される（Ｓ２１８）。
【００７４】
そして、携帯電話１０から携帯電話１０の画像表示機能に係る設定項目及び設定値を取得したか否かが、ＣＰＵ５０によって判断される（Ｓ２２０）。詳しくは、Ｓ２１０と同様に、定期的に通信可能な携帯電話を検索し、携帯電話が発見された場合に、設定項目及び値の要求を出すようにし、その要求に対する返答の有無が判断される。要求に対する返答があった場合、つまり、携帯電話１０から設定項目及び設定値が取得された場合には（Ｓ２２０のＹＥＳ）、第２画像データに基づく画像が表示された状態で、設定項目の設定値が、第１画像データの設定項目の設定値に変更される（Ｓ２２２）。一方、要求に対する返答がない場合、つまり、携帯電話１０から第１画像データの設定項目及び設定値が取得されない場合には（Ｓ２２０のＮＯ）、Ｓ２２２の処理がスキップされる。
【００７５】
続いて、画像の表示が終了したか否かが、ＣＰＵ５０によって判断される（Ｓ２２４）。画像の表示が終了していない場合には（Ｓ２２４のＮＯ）、Ｓ２２０に戻る。一方、画像の表示が終了した場合には（Ｓ２２４のＹＥＳ）、Ｓ２１６以降の処理が実行され、表示制御プログラム７４のフローが終了する。
【００７６】
なお、Ｓ２１０及びＳ２２０の処理において、設定値の他に第１画像データを取得した場合には、取得した第１画像データを無視して、すでに実行している第１画像データに基づく画像の表示を維持し、設定値のみを変更する。これにより、既に実行している第１画像データに基づく画像の表示を維持することが可能となる。
【００７７】
＜ＣＰＵの機能構成＞
上記通話制御プログラム７２及び表示制御プログラム７４を実行するＣＰＵ５０は、それの実行処理に鑑みれば、図１に示すような機能構成を有するものと考えることができる。図から解るように、ＣＰＵ１２は、第１情報取得部８０（本発明の第１情報取得部及び第１情報取得手段の一例）と、第１設定情報取得部８２（本発明の第１設定情報取得部及び第１設定情報取得手段の一例）と、選択部８４（本発明の選択部及び選択手段の一例）と、第１判断部８６（本発明の第１判断部及び第１判断手段の一例）と、第１情報依拠機能実行部８８（本発明の第１情報依拠機能実行部及び第１情報依拠機能実行手段の一例）と、第２情報依拠機能実行部９０（本発明の第２情報依拠機能実行部及び第２情報依拠機能実行手段の一例）と、要求部９２（本発明の要求部の一例）と、記憶制御部９４（本発明の記憶制御部の一例）とを有している。
【００７８】
第１情報取得部８０は、上記通話制御プログラム７２のＳ１００の処理を実行する機能部、および、上記表示制御プログラム７４のＳ２００の処理を実行する機能部である。第１設定情報取得部８２は、上記通話制御プログラム７２のＳ１０６の処理を実行する機能部、および、上記表示制御プログラム７４のＳ２０６の処理を実行する機能部である。選択部８４は、上記通話制御プログラム７２のＳ１００の処理を実行する機能部、および、上記表示制御プログラム７４のＳ２００の処理を実行する機能部である。第１判断部８６は、上記通話制御プログラム７２のＳ１０２の処理を実行する機能部、および、上記表示制御プログラム７４のＳ２０２の処理を実行する機能部である。第１情報依拠機能実行部８８は、上記通話制御プログラム７２のＳ１０８の処理を実行する機能部、および、上記表示制御プログラム７４のＳ２０８の処理を実行する機能部である。第２情報依拠機能実行部９０は、上記通話制御プログラム７２のＳ１１８の処理を実行する機能部、および、上記表示制御プログラム７４のＳ２１８の処理を実行する機能部である。要求部９２は、上記通話制御プログラム７２のＳ１０４の処理を実行する機能部、および、上記表示制御プログラム７４のＳ２０４の処理を実行する機能部である。記憶制御部９４は、上記通話制御プログラム７２のＳ１１７の処理を実行する機能部、および、上記表示制御プログラム７４のＳ２１７の処理を実行する機能部である。
【００７９】
なお、本発明は、上記実施形態に限定されるものではなく、当業者の知識に基づいて種々の変更、改良を施した種々の態様で実施することが可能である。具体的には、例えば、上記実施形態では、通話及び画像の表示を行う装置として、ＭＦＰ１１が採用されているが、携帯端末等の種々の装置が採用されてもよい。また、電話番号及び画像データを送る装置として、携帯電話１０が採用されているが、複合機、ＰＣ（Personal computerの略）等の種々の装置が採用されてもよい。
【００８０】
また、上記実施形態では、無線ＬＡＮ方式により携帯電話１０とＭＦＰ１１とが通信を行っているが、他の通信方式が採用されてもよい。具体的には、例えば、ＵＳＢなどの有線を採用してもよく、赤外線やBluetooth（登録商標）、NFC（Near Field Communicationの略）などの近距離無線通信の方式を採用してもよい。
【００８１】
また、上記実施例では、ＣＰＵ５０によって図２乃至図５に示す処理が実行される例を説明したが、これら処理は、ＣＰＵ５０に限らず、ＡＳＩＣや他の論理集積回路により実行されてもよいし、これら処理が、ＣＰＵ５０やＡＳＩＣ、他の論理集積回路が協働することにより実行されてもよい。
【００８２】
また、上記実施例において、ＭＦＰ１１への送信が要求される設定項目は、ＭＦＰ１１のデータ記憶領域７６に記憶されている設定項目とは異なる設定項目とされている。しかし、ＭＦＰ１１のデータ記憶領域７６に記憶されている設定項目に関わらず、携帯電話１０のデータ記憶領域４０に記憶されている設定項目の全て、若しくは、一部が、ＭＦＰ１１への送信が要求される設定項目であってもよい。具体的に、図６及び図７を用いて、携帯電話１０のデータ記憶領域４０に記憶されている通話機能に関する全ての設定項目及び設定値をＭＦＰ１１へ送信すべき旨の要求がなされた場合において、通話を行うためのフローを説明する。なお、図６及び図７に示すフローは、図２及び図３に示すフローと略同じフローであるため、異なる箇所を中心に説明する。
【００８３】
Ｓ３０２において、通話要求の対象の電話番号がＭＦＰ１１に記憶されているものであるか否かが、ＣＰＵ５０によって判断される。つまり、通話要求の対象の電話番号が、第１電話番号と第２電話番号とのいずれの番号であるかが、ＣＰＵ５０によって判断される。通話要求の対象の電話番号が第１電話番号である場合には（Ｓ３０２のＮＯ）、携帯電話１０のデータ記憶領域４０に記憶されている通話機能に関する全ての設定項目及び、その全ての設定項目の設定値をＭＦＰ１１に送信する旨の指令が、ＭＦＰ１１から携帯電話１０に送信される（Ｓ３０４）。携帯電話１０では、この指令に応じて、第１電話番号に関する全ての設定項目及び設定値が、ＭＦＰ１１に送信される。
【００８４】
そして、携帯電話１０から設定項目及び、設定項目の設定値が、ＭＦＰ１１のＣＰＵ５０によって取得される（Ｓ３０６）。次に、携帯電話１０の設定項目とＭＦＰ１１の設定項目との共通の設定項目に対しては、携帯電話１０の設定項目の設定値に従うとともに、携帯電話１０の設定項目にはなく、ＭＦＰ１１の設定項目にのみ存在する設定項目に対しては、ＭＦＰ１１の設定項目の設定値に従って、第１電話番号に電話回線が接続される（Ｓ３０７）。そして、Ｓ３０８以降の処理が、Ｓ１０８以降の処理と同様に行われる。
【００８５】
上記フローに従った処理が行われることで、携帯電話１０から取得した第１電話番号の電話回線接続時において、携帯電話１０による通話状態と殆ど同じ状態で、ＭＦＰ１１による通話を行うことが可能となる。これにより、携帯電話１０のユーザは、より快適にＭＦＰ１１による通話を行うことが可能となる。
【符号の説明】
【００８６】
１０：携帯電話（通信装置）
１１：ＭＦＰ（情報処理装置）
５０：ＣＰＵ（制御装置）（コンピュータ）
６２：ネットワークＩ／Ｆ（通信手段）
７２：通話制御プログラム（制御プログラム）
７４：表示制御プログラム（制御プログラム）
７６：データ記憶領域（記憶手段）
８０：第１情報取得部（第１情報取得手段）
８２：第１設定情報取得部（第１設定情報取得手段）
８４：選択部（選択手段）
８６：第１判断部（第１判断手段）
８８：第１情報依拠機能実行部（第１情報依拠機能実行手段）
９０：第２情報依拠機能実行部（第２情報依拠機能実行手段）
９２：要求部
９４：記憶制御部
【図１】
2014064158.tif 000003
【図２】
2014064158.tif 000004
【図３】
2014064158.tif 000005
【図４】
2014064158.tif 000006
【図５】
2014064158.tif 000007
【図６】
2014064158.tif 000008
【図７】
2014064158.tif 000009